(57)【要約】      （修正有）【課題】生徒および学生の成績に関するデータを検出および伝送することができるシステムを提供する。【解決手段】生徒および学生の成績に関する統計的データをＳＭＳメッセージの交換に基づいて収集および伝送するための本システムは、ＳＭＳメッセージ交換をベースとする公知のシステムと異なり、１つまたは複数のサーバから成り、一方ではインターネットに接続されており、他方では移動網のＳＭＳセンタに接続されており、情報を受け取って読み取るためのコンピュータおよび移動通信機器の形態の端末使用機器を含み、該ＳＭＳセンタとデータ伝送ユニットＭＳＣとの間に配置されたＩＷＭＳＣ識別センタの代わりに使用されるシステムであって、端末使用移動無線機器（システムのユーザ）からの信号を受信するために使用されるアダプタ識別子（「短絡番号」と称される）を有し、少なくとも１つの付加的なコンピュータが中央サーバに接続されているシステムである。【選択図】図１【実用新案登録請求の範囲】
【請求項１】
生徒および学生の成績に関するデータを検出および伝送するためのシステムであって、
ＳＭＳ通知の交換を基礎とし、一方ではインターネットに接続されており、かつ他方では移動無線網のＳＭＳセンタに接続されており、
１つまたは複数のサーバと、情報を受け取って出力するためのコンピュータおよび移動無線機器の形態の複数の端末使用機器とを有するシステムにおいて、
該ＳＭＳセンタとデータ伝送ユニットとの間に設けられた識別センタユニットの代わりに、該端末使用移動無線機器（システムのユーザ）の信号を受け取るアダプタ識別子（「短絡番号」と称される）を含み、
該中央サーバには、少なくとも１つの付加的なコンピュータが接続されていることを特徴とする、システム。
【考案の詳細な説明】
【技術分野】
【０００１】
本システムは、ＳＭＳ通知の交換を基礎とする。本考案は、別の電気的システムと組み合わされた電話接続に関し、とりわけ加入者が使用するための補助端末使用機器に関し、本システムは、ＳＭＳ技術およびインターネット技術に基づいて生徒および学生の成績に関するデータを検出および伝送するのに適用することができる。
【０００２】
情報を配布するための次のようなシステム、すなわち、天気や為替相場等に関する情報を受け取って出力するために中央サーバと移動無線機器の形態の端末使用機器とを含むシステムが公知である（ソース：http://www.sotal.ru/archive/21_08.php3、２００２年８月２５日公開）。このようなシステムの適用範囲は限られており、前問い合わせに対してのみ機能する。
【０００３】
プロトタイプとして捉えられる公知のこのシステムは、ＳＭＳ通知の交換を基礎とし、学校情報システム用に設けられ、１つまたは複数のサーバを有する。このシステムは、一方ではインターネットに接続され、他方では移動無線網のＳＭＳセンタに接続されている（特許公報ＲＵ５１３２１、Ｈ０１Ｍ１／００、２００６年１月２７日）。このシステムは、情報を受け取って出力するためにコンピュータおよび移動無線機器の形態の端末使用機器を有する。
【０００４】
この公知のシステムの欠点は、処理の自動化レベルが低いことであり、データ検出は興味対象に応じてのみ行われ、加入者の問い合わせに応答してデータを供給する手段は存在せず、自身の移動電話番号を変更した加入者はこのサービスを使用することができない。
【０００５】
本願考案の課題は、統計的データを検出および伝送するためのシステムの技術的構成を拡張することである。
【０００６】
ＳＭＳ通知の交換を基礎として生徒および学生の成績に関するデータを検出および伝送するための本願システムの重要な特徴は、以下のとおりである：（ＳＭＳ通知の交換を基礎とし、１つまたは複数のサーバを含み、一方ではインターネットに接続され、他方では移動無線網のＳＭＳセンタに接続され、端末使用機器は、情報を受け取って出力するためのコンピュータおよび移動無線機器の形態である）公知のシステムと異なり、本願システムは、ＳＭＳセンタとＧＭＳＣデータ伝送ユニットとの間に設けられたＧＭＳＣ識別センターユニットの代わりに、端末使用移動無線機器（システムのユーザ）の信号を受け取るアダプタ識別子（短縮番号と称される）を含む。中央サーバには必ず１つ以上の付加的なコンピュータが接続されている。このような装置により、教育状態に関する情報を自動モードで収集してまとめることができるだけでなく、学習過程に父母および保護者をより関与させることができ、このことは教育プロセスの改善に直接作用する。これは、既存の公知のシステムでは実現できなかった機能である。
【図面の簡単な説明】
【０００７】
【図１】本考案によるシステムの概略図である。
【０００８】
図１に概観図が示されている。生徒および学生の成績に関する統計的データをＳＭＳ通知に基づいて検出および伝送するためのシステムは、モデム２およびデータバンク（電子的メモリ）３を有する中央サーバ１を備えている。データバンク３の第１の入出力側は、サーバゲートウェイ４を介してＳＭＳセンタ５と、移動無線プロバイダＧＭＳＣ６のメインデータバンクのユニットとに接続されている。移動無線プロバイダＧＭＳＣ６のメインデータバンクのユニットの出力側はデータ伝送ユニットＭＳＣ７に接続されており、該データ伝送ユニットＭＳＣ７はアンテナ８を有し、加入者の現在位置を見るためのユニットＶＬＲ９に接続されている。システム内では、「短縮番号」と称されるアダプタ識別子１０が使用され、この番号は、ロシア全土のすべての移動無線網で統一されている。システム内ではまた、端末使用無線機器１１（システムの加入者）と２つ以上のコンピュータ１２とが含まれ、これらの入出力側は中央サーバに接続されている。
【０００９】
このシステムは以下のように動作する。教育機関１２のコンピュータで１次データが検出される。この１次データは、生徒の識別データと特徴とを含み、たとえば週間時間割を含む。このデータは中断無しでインターネット網を介して、モデム２を使用して中央サーバ１へ伝送され、ここでデータバンク３内で体系化され、サーバのゲートウェイ４によってＳＭＳ通知に変換された後、有線伝送路を介してＳＭＳセンタに伝送される。システムの端末使用機器のうちの１つ‐移動電話機１１‐のユーザは、問い合わせを識別コードによって、ロシアのすべての移動接続網において統一された短絡番号１０に対応付ける。加入者１１の端末機器からの信号は移動無線システムのアンテナに到達し、その後に通知として識別され、該通知は具体的な「短絡番号」に対して送信され、その後に課金システム６を介して、この移動無線網のＳＭＳセンタ５に伝送される。その後、問い合わせが有線伝送路を介してＳＭＰＰプロトコルによって、サーバゲートウェイ４へ転送され、ここでＨＴＴＰプロトコルに変換される。このことは、中央サーバ１内に設けられたデータバンク３によって信号を識別するために必要である。データバンク３内で前記問い合わせは、該問い合わせ内に挿入されたコードに相応する生徒のデータと比較される。問い合わされた統計的データはパケットにまとめられ、その後にデータは逆方向に伝送され、こうするためにプロトコルが交代される。このデータは移動無線プロバイダ７のネットワーク内に到達し、加入者１１の移動電話機に送信される。問い合わせの送信時点から端末情報がユーザの移動電話機に到達するまでの‐システムの応答時間は、３０秒〜２分である。ここでは、どのネットワークで加入者がサービスを受け、ロシアのどの部分に加入者が存在するかは重要でない。重要な点は、コードを問い合わせに挿入することである。
【００１０】
このようにして、生徒および学生の成績に関するデータをＳＭＳ通知に基づいて検出および伝送するためのシステムにより、生徒および学生の成績に関するデータを自動的に収集および伝送することができ、このことは学習プロセスの改善に直接作用する。
【図１】
0003157722.tif 000002
【手続補正書】
【提出日】平成21年12月4日(2009.12.4)
【手続補正１】
【補正対象書類名】実用新案登録請求の範囲
【補正対象項目名】全文
【補正方法】変更
【補正の内容】
【実用新案登録請求の範囲】
【請求項１】
生徒および学生の成績に関するデータを検出および伝送するためのシステムであって、ＳＭＳ通知の交換を基礎とし、１つまたは複数のサーバと、情報を受け取って出力するためのコンピュータおよび移動無線機器の形態の複数の端末使用機器とを有するシステムであり、
前記サーバはインターネットと移動無線網のＳＭＳセンタとに接続されており、
前記端末使用機器と前記ＳＭＳセンタとの間の伝送信号は、該端末使用機器を識別するための識別子を有し、
該サーバには、少なくとも１つの付加的なコンピュータが接続されていることを特徴とする、システム。